(57)【要約】      （修正有）【課題】初心者や一般ライダーでも、上級ライダー並みの旋回性に富んだライディングが可能にするスノーボードを提供する。【解決手段】縦長状でその長手方向に延びる両側縁２ａ，２ｂにエッジｅ１，ｅ２が設けられる滑走部２と、該滑走部２の長手方向の両端位置２ｃ，２ｄから延設されて上方に湾曲するノーズ３及びテール４と、を備えるスノーボードであって、前記滑走部２には、ライダーの足が固定される各足位置２ｆ，２ｇの下方に、それぞれ側面視で上方に凸形状となるキャンバーＣ１，Ｃ２が形成されていることを特徴とする。【選択図】図１
0003143677.tif 000002
【実用新案登録請求の範囲】
【請求項１】
縦長状でその長手方向に延びる両側縁（２ａ，２ｂ）にエッジ（ｅ１，ｅ２）が設けられる滑走部（２）と、該滑走部（２）の長手方向の両端位置（２ｃ，２ｄ）から延設されて上方に湾曲するノーズ（３）及びテール（４）と、を備えるスノーボードであって、
前記滑走部（２）には、ライダーの足が固定される各足位置（２ｆ，２ｇ）の下方に、それぞれ側面視で上方に凸形状となるキャンバー（Ｃ１，Ｃ２）が形成されていることを特徴とするスノーボード。
【請求項２】
前記滑走部（２）は、スノーボードを平面上に置いたときに、前記各キャンバー（Ｃ１，Ｃ２）の間が、前記キャンバー（Ｃ１，Ｃ２）の最大高さ（ｈ１，ｈ２）より低い所定高さ（ｈ３）を有しており、前記平面に接地しないことを特徴とする請求項１記載のスノーボード。
【請求項３】
前記両側縁（２ａ，２ｂ）には、前記各足位置（２ｆ，２ｇ）に対応する位置に、それぞれ平面視でボード内方に抉られる凹形状のサイドカーブ（Ｓａ１，Ｓａ２，Ｓｂ１，Ｓｂ２）が形成されていることを特徴とする請求項１又は２記載のスノーボード。
【考案の詳細な説明】
【技術分野】
【０００１】
本考案は、縦長状でその長手方向に延びる両側縁にエッジが設けられる滑走部と、該滑走部の長手方向の両端位置から延設されて上方に湾曲するノーズ及びテールと、を備えてなるスノーボードに関する。
【背景技術】
【０００２】
従来のスノーボード５（図６）は、サイドカーブＳａ，Ｓｂが形成される左右両側縁６ａ，６ｂにエッジｅ１，ｅ２が設けられる滑走部６と、その長手方向の両端位置６ｃ，６ｄから上方へ湾曲するノーズ７及びテール８と、を備えてなり、さらに、滑走部６には、スノーボード５を平面Ｆ上に置いたときに、長手方向の中央位置６ｅ付近で最も高く（高さｈ）、両端位置６ｃ，６ｄへ向かうにつれて低くなる単一アーチ形状のキャンバーＣが形成されている（例えば、特許文献１参照。）。
【０００３】
キャンバーＣは、雪面滑走中におけるライダーの体重を支持するとともに、当該体重を、エッジｅ１，ｅ２の両端位置６ｃ，６ｄ付近に伝達することで、安定した滑走を可能にするとともに、ライダーがボード長手方向と直交する方向に体重移動させることにより、左右両側縁６ａ，６ｂに設けられるエッジｅ１，ｅ２の何れかが雪面を捉えるように撓み変形し、サイドカーブＳａ又はＳｂのＲに応じた旋回を可能とする。
【特許文献１】特開２００５−１３５１８号公報
【考案の開示】
【考案が解決しようとする課題】
【０００４】
ところで、上述のような旋回では、ライダーの足（ブーツＢ）が固定される各足位置６ｆ、６ｇへの負荷のかけ方により、スノーボード５を捻るように撓ませて、雪面を捉えるエッジの曲率、範囲（長さ、位置）を制御することができ、これにより、小さく旋回したり、急激に切り返したりする旋回性に富んだライディングが可能になる。上級ライダーは、体重のかけ方で生じる撓み変化を経験的に把握しており、また、その撓み変化を容易に再現できる技術を有するため、多彩なライディングを想定通りに実現することができる。
【０００５】
しかしながら、一般ライダーの場合、雪面を捉えるエッジの曲率、範囲を変動させるための経験、技術が不足しており、上級ライダーのような旋回性に富んだライディングを楽しむことは難しい。本考案は、斯かる実情に鑑み、初心者や一般ライダーでも、上級ライダー並みの旋回性に富んだライディングが可能にするスノーボードを提供する。
【課題を解決するための手段】
【０００６】
請求項１の考案は、縦長状でその長手方向に延びる両側縁（２ａ，２ｂ）にエッジ（ｅ１，ｅ２）が設けられる滑走部（２）と、該滑走部（２）の長手方向の両端位置（２ｃ，２ｄ）から延設されて上方に湾曲するノーズ（３）及びテール（４）と、を備えるスノーボードであって、
前記滑走部（２）には、ライダーの足が固定される各足位置（２ｆ，２ｇ）の下方に、それぞれ側面視で上方に凸形状となるキャンバー（Ｃ１，Ｃ２）が形成されていることを特徴とするスノーボードを提供する。
【０００７】
請求項２の考案は、前記滑走部（２）は、スノーボードを平面上に置いたときに、前記各キャンバー（Ｃ１，Ｃ２）の間が、前記キャンバー（Ｃ１，Ｃ２）の最大高さ（ｈ１，ｈ２）より低い所定高さ（ｈ３）を有しており、前記平面に接地しないことを特徴とする請求項１記載のスノーボードを提供する。
【０００８】
請求項３の考案は、前記両側縁（２ａ，２ｂ）には、前記各足位置（２ｆ，２ｇ）に対応する位置に、それぞれ平面視でボード内方に抉られる凹形状のサイドカーブ（Ｓａ１，Ｓａ２，Ｓｂ１，Ｓｂ２）が形成されていることを特徴とする請求項１又は２記載のスノーボードを提供する。
【考案の効果】
【０００９】
本考案の請求項１記載のスノーボードは、以下の優れた効果を奏し得る。滑走部（２）において、上方に凸形状となるキャンバー（Ｃ１，Ｃ２）を、ライダーの足が固定される各足位置（２ｆ，２ｇ）に合わせて一つずつ形成したので、滑走部（２）全体を均一的に撓み変形させて雪面をエッジ全体で捉えるだけでなく、ライダーが各足位置へ体重移動することにより、キャンバーＣ１に対応する部分のみ、又はキャンバーＣ２に対応する部分のみを大きく撓み変形させて、当該部分のエッジのみで雪面を捉えるようにすることができる。
【００１０】
これにより、例えば、旋回時にスノーボードの長手方向（前後方向）の前側へ体重移動することで、ボード前側のキャンバーに対応する部分のみを撓み変形させて、そのエッジで雪面を強く捉えるとともに、ボード後側に形成されるエッジを僅かに接雪させて、ボード前側を中心に横滑りさせることで、全体として小さく旋回することが容易に行える。さらに、スノーボードの左右方向の体重移動と前後方向の体重移動を組み合わせることで、急激な切り返しを繰り返すフリースタイルの滑りも容易に行えるものである。
【００１１】
本考案の請求項２記載のスノーボードは、請求項１記載のスノーボードが奏する効果に加えて、以下の優れた効果を奏し得る。足位置（２ｆ、２ｇ）の一方に対する体重負荷を大きくして、一方のキャンバーを略フラットに撓み変形させる場合、それによって生じる反りが、他方のキャンバーが形成される部分を浮き上がらせるが、当該浮き上がり部分が雪面から完全に離れる場合には、ボード全体としての接雪性が著しく低下し、バランスを崩し易くなって危険である。これに対して、各キャンバー（Ｃ１，Ｃ２）の間に所定高さ（ｈ３）を与えておくことで、前記他方部分の浮き上がり量を抑制して、安全性を確保することができる。
【００１２】
本考案の請求項３記載のスノーボードは、請求項１又は２記載のスノーボードが奏する効果に加えて、以下の優れた効果を奏し得る。ボード両側縁（２ａ，２ｂ）の各足位置（２ｆ，２ｇ）に対応する位置に、それぞれ凹形状のサイドカーブ（Ｓ１，Ｓ２）を形成したので、ライダーが体重移動させて各キャンバー（Ｃ１，Ｃ２）を撓ませることにより、これに対応する各サイドカーブ（Ｓａ１，Ｓａ２，Ｓｂ１，Ｓｂ２）に沿って小さく旋回することがより確実に行える。
【考案を実施するための最良の形態】
【００１３】
以下、本考案の実施形態を、図１乃至図３を参照しながら説明する。図１は、スノーボード１の（ａ）平面図及び（ｂ）側面図である。図２は、スノーボードの足位置に対する体重負荷の割合を変えたときのキャンバーの撓み変形について説明する側面図であり、（ａ）両足位置に均等に体重を負荷した場合、（ｂ）主に前側の足位置に体重をかけた場合、（ｃ）主に後側の足位置に体重をかけた場合であって、各図において撓み変形前の状態を一点鎖線で示す。図３は、図２（ａ）の状態でエッジを効かせた場合の旋回を示す図である。図４は、図２（ｂ）及び（ｃ）の状態でエッジを効かせた場合の旋回を示す図である。図５は、キャンバー間が予め接地している場合の問題点を説明する図である。
【００１４】
スノーボード１は、図１に示されるように、縦長状に形成され、その長手方向（ボードの前後方向）に延びる左右の両側縁部２ａ，２ｂの下面側にエッジｅ１，ｅ２が設けられる滑走部２と、滑走部２の前後方向の両端位置２ｃ，２ｄから延設されて、上方に湾曲するノーズ３及びテール４と、を備えてなる、前後左右対称形状の雪面滑走板である。滑走部２には、図１（ａ）に示されるように、前後方向に間隔をおいて、両端位置２ｃ，２ｄと前後方向の中央位置２ｅとの間に足位置２ｆ，２ｇがそれぞれ設定されている。足位置２ｆ，２ｇは、ライダーの足（ブーツＢ）が固定される領域であって、ビンディング取付用のインサートホール２１，２２が複数形成される。
【００１５】
各足位置２ｆ，２ｇの下方には、図１（ｂ）に示されるように、それぞれ側面視で上方に凸形状となるアーチ形状のキャンバーＣ１，Ｃ２がボードの前後方向に間隔をおいて形成される。キャンバーＣ１，Ｃ２は、スノーボード１を平面Ｆ上に置いたときに、その平面Ｆからの高さが各足位置２ｆ，２ｇ付近で最も高く（高さｈ１，ｈ２）、両端位置２ｃ，２ｄ及び中央位置２ｅへ向かうにつれて低くなり、中央位置２ｅ付近で下方に凸形状となる上下逆向きのキャンバーＣ３に接続され、側面視で滑走部２全体として緩やかな波形を形成する。なお、滑走部２の両端位置２ｃ，２ｄは、スノーボード１を平面Ｆ上に置いたときに、当然ながら平面Ｆに接地するが、キャンバーＣ１，Ｃ２の間（キャンバーＣ３）は、スノーボードにライダーの体重（負荷）をかけなければ、平面Ｆに接地しない高さｈ３（<ｈ１，<ｈ２）に設定されている。
【００１６】
具体的な数値としては、ｈ１，ｈ２＝５ｍｍ、ｈ３＝２ｍｍ程度に設定されており、ライダーが各足位置２ｆ，２ｇの両方に体重をかけて、滑走部２を撓み変形させた場合には、図２（ａ）に示されるように、中央位置２ｅ付近の逆キャンバーＣ３部分とその前後が接雪し、足位置２ｆ，２ｇ付近では雪面との間に隙間は残るが、ボードの両端位置２ｃ，２ｄ付近及び中央位置２ｅ付近の３ヶ所のエッジが雪面を強く捉えて、エッジ全体で雪面を捉えるのに近い状態を実現することができる。また、ライダーが主に前側の足位置２ｆに体重をかけて滑走部２を撓み変形させた場合には、図２（ｂ）に示されるように、前側のキャンバーＣ１がフラット状になって、該当部分のエッジが雪面を捉えるように接雪可能となり、後側のキャンバーＣ２は、略元の形状に維持されて、該当部分のエッジは雪面を強く捉えることはない。逆に、ライダーが主に後側の足位置２ｇに体重をかけて、滑走部２を撓み変形させた場合には、図２（ｃ）に示されるように、今度は、後側のキャンバーＣ２がフラット状になって、該当部分のエッジが雪面を捉えるように接雪可能となり、前側のキャンバーＣ１は、略元の形状に維持されて、該当部分のエッジは雪面を強く捉えることはない。
【００１７】
滑走部２には、上下方向に凹凸となるキャンバーＣ１，Ｃ２に加えて、左右方向に凹凸となるサイドカーブが形成される。左側縁部２ａには、図１（ａ）に示されるように、平面視でボード内方に抉られる２つの凹形状のサイドカーブＳａ１，Ｓａ２が、前後方向に間隔をおいて形成され、右側縁部２ｂには、同じく平面視でボード内方に抉られる２つの凹形状のサイドカーブＳｂ１，Ｓｂ２が、前後方向に間隔をおいて形成される。ボード前側のサイドカーブＳａ１，Ｓｂ１は、その抉れ具合が、足位置２ｆ付近で最も高く前端位置２ｃ及び中央位置２ｅへ向かうにつれて低くなるキャンバーＣ１の反り具合と対応するように、足位置２ｆ付近で最も深く抉られ、前端位置２ｃ及び中央位置２ｅへ向かうにつれて抉りが浅くなる。また、ボード後側のサイドカーブＳａ２，Ｓｂ２は、その抉れ具合が、足位置２ｇ付近で最も高く後端位置２ｄ及び中央位置２ｅへ向かうにつれて低くなるキャンバーＣ２の反り具合と対応するように、足位置２ｇ付近で最も深く抉られ、後端位置２ｄ及び中央位置２ｅへ向かうにつれて抉りが浅くなる。サイドカーブＳａ１，Ｓａ２及びＳｂ１，Ｓｂ２は、それぞれ中央位置２ｅ付近でボード外方に凸形状となるサイドカーブＳａ３及びＳｂ３によってなめらかに接続され、平面視で各側縁部２ａ，２ｂ全体として緩やかな波形を形成する。
【００１８】
両端位置２ｃ，２ｄにおける横幅ｗｃ，ｗｄ、及び中央位置２ｅにおける横幅ｗｅは、足位置２ｆ、２ｇにおける横幅ｗｆ，ｗｇよりも広く設定されている。足位置２ｆ、２ｇにおける横幅ｗｆ，ｗｇは、ここに固定されるブーツＢのつま先及びかかと部分が両側縁部２ａ，２ｂから若干はみ出す程度の寸法に設定されており、ライダーが前後に体重移動させることにより、側縁部２ａ又は２ｂの下端側に設けられるエッジｅ１，ｅ２に対して荷重をかけ易くし、旋回時におけるコントロール性を確保している。なお、中央位置２ｅにおける横幅ｗｅは、両端位置２ｃ，２ｄにおける横幅ｗｃ，ｗｄより狭く設定されている。
【００１９】
（上記実施形態に係るスノーボード１の作用）
スノーボード１は、上記のように構成されるため、ライダーが各足位置２ｆ、２ｇに対して略均等に体重をかけながら旋回するときには、両キャンバーＣ１，Ｃ２が均一に撓み変形して、サイドカーブＳａ１，Ｓｂ１，Ｓａ２，Ｓｂ２部分に設けられるエッジの長手方向の両端部分が雪面を適度に捉え、特に幅広の中央位置２ｅ付近のサイドカーブＳａ３，Ｓｂ３部分に設けられるエッジが雪面に挿し込まれる状態となって、例えば図３に示されるように、右側縁部２ｂのエッジｅ２全体で雪面を捉えるように大きく旋回することができる。かかる旋回は、従来のスノーボード５（図６）でも行えるが、本実施形態のスノーボード１は、足位置２ｆ、２ｇの間を、キャンバーＣ３及びサイドカーブＳａ３の作用によって安定的に接雪させることができるため、旋回途中に雪面上の凹凸を通過することがあっても容易にバランスを崩すことがない点で優れている。
【００２０】
また、ライダーがスノーボード１の前後方向（進行方向）で体重移動して、前側の足位置２ｆに加える体重比率を増やした状態で旋回するときには、図２（ｂ）に示されるように、足位置２ｆの下方に形成される前側のキャンバーＣ１が略フラットに撓み変形し、後側のキャンバーＣ２は殆ど撓み変形しない。そのため、キャンバーＣ１に対応する前側のサイドカーブＳａ１又はＳｂ１が雪面に対して挿し込まれるのに対し、キャンバーＣ２に対応する後側のサイドカーブＳａ２又はＳｂ２は雪面に軽く接触する程度にとどまる。これにより、スノーボード１は、後側のサイドカーブＳａ１又はＳｂ１のエッジが雪面に対して横滑りする一方、前側のサイドカーブＳａ１又はＳｂ１のエッジを効かせながら旋回して、例えば、図４に１１〜１５で示されるような旋回軌跡を描くことになる。
【００２１】
逆に、ライダーが、後側の足位置２ｇに加える体重比率を増やした状態で旋回するときには、図２（ｃ）に示されるように、前側のキャンバーＣ１が殆ど撓み変形せず、足位置２ｇの下方に形成される後側のキャンバーＣ２が略フラットに撓み変形する。そのため、前側のサイドカーブＳａ１又はＳｂ１が雪面に軽く接触する程度にとどまるのに対し、後側のサイドカーブＳａ２又はＳｂ２が雪面に対して挿し込まれる状態となる。これにより、スノーボード１は、前側のサイドカーブＳａ１又はＳｂ１のエッジが雪面に対して横滑りし、主に後側のサイドカーブＳａ２又はＳｂ２のエッジを効かせながら旋回して、例えば、図４に１５〜１１０で示されるような旋回軌跡を描くことになる。
【００２２】
すなわち、各足位置２ｆ、２ｇに対する体重のかけ方を変えるだけで、滑走部２全体を均一的に撓み変形させて雪面をエッジ全体で捉えることで大きく旋回するほか、キャンバーＣ１又はキャンバーＣ２に対応する部分のみを強く撓み変形させて雪面をエッジの一部で捉えるようにして小さく旋回することも容易に行えるものであり、さらに、スノーボードの左右方向の体重移動と前後方向の体重移動を組み合わせることで、上級ライダー以外の初心者・一般ライダーにも急激な切り返しを繰り返すフリースタイルの滑りを楽しめるものである。
【００２３】
ところで、図５（ａ）に示されるように、スノーボードに対して無負荷の状態でも、キャンバーＣ１，Ｃ２の間が予め接雪させられる形状とした場合には、一方のキャンバーＣ１に体重をかけてフラット状に撓み変形させると、それによって生じる反り上がりが、そのまま他方のキャンバーＣ２形成部分に付加されることになる。そのため、図５（ｂ）に示されるように、ボード後側全体が雪面から大きく浮き上がって、ボード前側のみで滑走、旋回しているような状態となり、バランスを崩し易くなる。これに対して、本実施形態に係るスノーボード１は、滑走部２におけるキャンバーＣ１，Ｃ２の間に雪面と接触しない所定高さｈ３を有しており、キャンバーＣ１，Ｃ２の何れか一方に体重をかけて略フラットに撓み変形させたときでも、図２（ｂ）又は（ｃ）に示されるように、他方のキャンバー形成部分に付加される反り上がりを減殺して、当該部分が完全に浮き上がることを防止している。なお、ｈ３<ｈ１，ｈ３<ｈ２とすることにより、キャンバーＣ１又はＣ２の何れか一方のみを選択的に撓み変形（接地）させることができるように担保している。
【００２４】
（上記実施形態の変形例）
上記実施形態に係るスノーボード１では、各キャンバーＣ１，Ｃ２に対応して、左側縁２ａにサイドカーブＳａ１，Ｓａ２を形成し、右側縁２ｂにサイドカーブＳｂ１，Ｓｂ２を形成して、キャンバーＣ１を撓み変形させたときは前側のサイドカーブＳａ１又はＳｂ１に沿って、キャンバーＣ２を撓み変形させたときには後側のサイドカーブＳａ２又はＳｂ２に沿って、小半径での旋回がより確実にできるようにしたが、これに限らず、滑走部２の各側縁に形成するサイドカーブを単一アーチ形状として、そのエッジを部分的に効かせることができるようにしても良い。
【００２５】
上記実施形態に係るスノーボード１は、キャンバーＣ１，Ｃ２の一方を撓み変形させた際における他方のキャンバー形成部分の浮き上がりを緩和するため、各キャンバーＣ１，Ｃ２の間に所定高さｈ３を設けることとしたが、キャンバーＣ１，Ｃ２の高さｈ１，ｈ２が低い等の事情で、他方のキャンバー形成部分の浮き上がりが滑走時の安定性を著しく損なうものでない場合には、予め接地させておくようにしても良い。また、上記実施形態に係るスノーボード１は、前後方向（長手方向）において対称形としたが、非対称形としても良い。
【００２６】
その他、本考案は、上記実施形態に限定されるものではなく、その要旨を逸脱しない範囲で適宜変更を加え得ることは勿論である。
【図面の簡単な説明】
【００２７】
【図１】本考案の実施形態に係るスノーボードの（ａ）平面図及び（ｂ）側面図。
【図２】各足位置に対する体重負荷割合によるキャンバーの撓み変形を説明する側面図。
【図３】図２（ａ）の状態での旋回を示す図。
【図４】図２（ｂ）及び（ｃ）の状態での旋回を示す図。
【図５】キャンバー間が予め接地させられている場合の問題点を説明する図。
【図６】従来のスノーボードを示す（ａ）は平面図、及び（ｂ）側面図。
【符号の説明】
【００２８】
１    スノーボード
２    滑走部
２ａ    左側縁部
２ｂ    右側縁部
２ｃ    前端位置
２ｄ    後端位置
２ｅ    中央位置
２ｆ    足位置（前側）
２ｇ    足位置（後側）
Ｃ１，Ｃ２    キャンバー
Ｓａ１Ｓａ２，Ｓｂ１，Ｓｂ２    サイドカーブ
ｅ１，ｅ２    エッジ
３    ノーズ
４    テール
Ｂ    ブーツ
【図１】
0003143677.tif 000003
【図２】
0003143677.tif 000004
【図３】
0003143677.tif 000005
【図４】
0003143677.tif 000006
【図５】
0003143677.tif 000007
【図６】
0003143677.tif 000008